(57)【要約】      （修正有）【課題】収納ボックスの組立てをより便利かつ堅固にし、衝突や振動に遭遇した際の崩れ落ち落下を防止することができる組合せ式収納ボックスの構造を提供する。【解決手段】組合せ式収納ボックスの構造は、面材１、締結部品２、締結ネジ３を備え、面材１の上下４個の角には、相互に交差する縦横方向貫通孔１３、１４を設置し、締結部品２はダボを有しダボ頂点端には、直径が比較的大きい突出部２２を設置し、締結ネジ３には切欠き３１を設置し、切欠き３１からは適度な長さの螺旋状槽３２を延伸し、複数の面材１を垂直、水平に相互に重ねて置いた後、締結部品２と締結ネジ３を各縦、横方向貫通孔１３、１４に挿入して設置し、締結部品２の突出部２２は締結ネジ３の螺旋状槽３２に螺合し、相互に継合して定位し、こうして複数の面材１は縦、横方向の連結を相互に達成し、さまざまな大きさで多数の収納空間を備える収納ボックスを構成する。【選択図】図２
0003176863.tif 000002
【実用新案登録請求の範囲】
【請求項１】
組合せ式収納ボックスの構造は、面材、締結部品、締結ネジを備え、
前記面材の両側辺には、対称の斜部と平面を設置し、上下４個の角には、前記面材内部において相互に交差する縦方向貫通孔と横方向貫通孔を設置し、
前記締結部品にはダボを設置し、前記ダボ頂点端には直径が比較的大きい突出部を設置し、
前記締結ネジは底縁に切欠きを設置し、前記切欠きからは適度な長さの螺旋状槽を延伸し、上縁には半円の環状片を設置し、これにより前記環状片両端は前記定位部品に定位され、回転可能な状態を有し、
前記複数の面材を垂直、水平に相互に重ねて置いた後、前記締結部品のダボと前記締結ネジを、前記各縦、横方向貫通孔に挿入して設置し、前記締結部品のダボ突出部を、前記定位部品の螺旋状槽に螺合し相互に継合して定位し、
こうして前記複数の面材は相互に垂直、水平に連結し、様々な大きさで多数の収納空間を備える収納ボックスを構成することを特徴とする組合せ式収納ボックスの構造。
【請求項２】
前記締結部品は板状の装飾体を備え、装飾効果を構成することを特徴とする請求項１に記載の組合せ式収納ボックスの構造。
【請求項３】
前記装飾体を備える締結部品は、Ｌ字形、Ｔ字形、或いは十字形で、装飾体面の反対面にはそれぞれ必要数のダボを排列して設置することを特徴とする請求項２に記載の組合せ式収納ボックスの構造。
【請求項４】
前記装飾体を備える締結部品は、I字形で、装飾体面の反対面にはそれぞれ必要数のダボを排列して設置し、２個の側板の上下は相互に垂直連結され、大きさが異なりより大きな収納空間を備える収納ボックスを構成することができることを、特徴とする請求項２に記載の組合せ式収納ボックスの構造。
【請求項５】
組合せ式収納ボックスの構造は、面材、締結部品、締結ネジを備え、
前記面材の両側辺には、対称の斜部と平面を設置し、上下４個の角及び前記平面には、前記板体内部において相互に交差する縦方向貫通孔と横方向貫通孔を設置し、
前記締結部品にはダボを設置し、前記ダボ頂点端には直径が比較的大きい突出部を設置し、
前記締結ネジは底縁に切欠きを設置し、前記切欠きからは適度な長さの螺旋状槽を延伸し、上縁には半円の環状片を設置し、これにより前記環状片両端は前記定位部品に定位され、回転可能な状態を有し、
前記複数の面材を垂直、水平に相互に重ねて置いた後、前記締結部品のダボと前記締結ネジを、前記各縦、横方向貫通孔に挿入して設置し、前記締結部品のダボ突出部を、前記定位部品の螺旋状槽に螺合し相互に継合して定位し、
こうして前記複数の面材を相互に垂直、水平に連結し、様々な大きさで多数の収納空間を備える収納ボックスを構成することを特徴とする組合せ式収納ボックスの構造。
【請求項６】
前記締結部品は、Ｌ字形、Ｔ字形、或いは十字形であることを特徴とする請求項５に記載の組合せ式収納ボックスの構造。
【請求項７】
前記ダボは、I字形に形成し、これによりテーブル面と側板に挿入して設置し、
前記テーブル面と前記側板の上下は相互に垂直連結され、大きさが異なりより多数の収納空間を備える収納ボックスを構成することができることを、特徴とする請求項５に記載の組合せ式収納ボックスの構造。
【考案の詳細な説明】
【技術分野】
【０００１】
本考案は組合せ式収納ボックスの構造に関し、締結部品と締結ネジにより継合し、複数の面材を相互に垂直、水平方向に連結し、多数の収納空間を備える収納ボックスを構成することができる組合せ式収納ボックスの構造に関する。
【背景技術】
【０００２】
一般の収納ボックスは、木製材料或いはプラスチック材料などで製造する。収納ボックスの使用個数が多い時には、収納ボックスを縦に並べ、上下に積み重ねて、収納スペースを節約する。従来の収納ボックスには、簡単な定位構造を有するだけであるため、整然と並べ積み重ねることはできても、それぞれの収納ボックス同士を連結させることはできなかった。そのため、何かが衝突したり震動を受けたりすると、積重ねた収納ボックスは比較的簡単に崩れ落ちる。これにより、収納物品や収納ボックス本体が損壊するばかりか、人を負傷させる恐れもあり、改善が不可欠である。
本考案は、従来の組合せ式収納ボックスの構造の上記した欠点に鑑みてなされたものである。
【考案の概要】
【考案が解決しようとする課題】
【０００３】
本考案が解決しようとする課題は、締結部品と締結ネジにより、複数の面材の相互の垂直水平連結を達成し、収納ボックスの組立てをより便利かつ堅固にし、衝突や振動に遭遇した際の崩れ落ち落下を防止することができる組合せ式収納ボックスの構造を提供することである。
【課題を解決するための手段】
【０００４】
上記課題を解決するため、本考案は下記の組合せ式収納ボックスの構造を提供する。
組合せ式収納ボックスの構造は、面材、締結部品、締結ネジを備え、
該面材の上下４個の角には、相互に交差する縦、横方向貫通孔を設置し、
該締結部品はダボを有し、ダボ頂点端には直径が比較的大きい突出部を設置し、
該締結ネジには切欠きを設置し、該切欠きからは適度な長さの螺旋状槽を延伸し、
これにより、該複数の面材を垂直、水平に相互に重ねて置いた後、該締結部品と該締結ネジを、該各縦、横方向貫通孔に挿入して設置し、該締結部品のダボと、該締結ネジの螺旋状槽に螺合し、相互に継合して定位し、
こうして、該複数の面材は、縦、横方向の連結を相互に達成し、様々な大きさで、しかも多数の収納空間を備える収納ボックスを構成する。
【考案の効果】
【０００５】
本考案の組合せ式収納ボックスの構造は、締結部品のダボに螺合する締結ネジに、縦、横方向貫通孔を設置する面材を対応させることで、複数の面材は、締結部品のダボと締結ネジの相互継合により、相互に垂直、水平に連結され、多数の空間を備える収納ボックスを構成することができ、これにより衝突や振動に遭遇した際の落下を防止することができる。
【図面の簡単な説明】
【０００６】
【図１】本考案組合せ後の立体図である。
【図２】本考案第一実施例の組合せ図である。
【図３】本考案定位部品の立体図である。
【図４】本考案定位部品の立体図である。
【図５】本考案第二実施例の組合せ図である。
【図６】本考案第二実施例の組合せ図である。
【図７】本考案第三実施例の組合せ図である。
【図８】本考案第三実施例の組合せ図である。
【図９】本考案第三実施例の組合せ図である。
【図１０】本考案第三実施例の組合せ後の立体図である。
【図１１】本考案第四実施例の組合せ図である。
【図１２】本考案第五実施例の組合せ図である。
【図１３】本考案第五実施例の組合せ図である。
【図１４】本考案第六実施例の組合せ図である。
【考案を実施するための形態】
【０００７】
以下に図面を参照しながら本考案を実施するための最良の形態について詳細に説明する。
【実施例】
【０００８】
本考案組合せ後の立体図、第一実施例の組合せ図、本考案定位部品の立体図である図１、図２、図３、図４に示すように、本考案は、面材１、締結部品２、締結ネジ３を備える。面材１の両側辺には、対称の斜部１１、平面１２を設置する。面材１の上下４個の角には、面材１内部において相互に交差する縦方向貫通孔１３と横方向貫通孔１４を設置する。本実施例中では、各角の縦方向貫通孔１３と横方向貫通孔１４はそれぞれ、２個、或いは２個以上設置する。
【０００９】
締結部品２にはダボ２１を設置する。ダボ２１頂点端には、直径が比較的大きい突出部２２を設置し、また締結部品２のダボ設置面の反対面には板状の装飾体を備え、装飾効果を構成する。
本実施例において、締結部品２には、Ｌ字形、逆Ｔ字形、或いは十字形で、それぞれ必要数のダボ２１を排列して設置する。
【００１０】
締結ネジ３は、底縁に切欠き３１を設置する。切欠き３１からは、適度な長さの螺旋状槽３２を延伸し、上縁には、半円の環状片３３を設置する。これにより、環状片３３両端は、締結ネジ３に設置され、回転可能な状態を有する。こうして、使用時には、環状片３３を引き、手で回すことができ、使用しない時には、面材と同一平面にすることができる。
【００１１】
上記した構成部材の組合せにより、複数の面材１を垂直、水平に相互に重ねて置いた後(斜部１１を相互に接触させて支える)、締結部品２のダボ２１と締結ネジ３を、各縦、横方向貫通孔１３、１４に挿入して設置する。次に、締結ネジ３の環状片３３を引き、手で回す。これにより、締結部品２のダボ２１の突出部２２は、締結ネジ３の螺旋状槽３２に螺合し、相互に継合して定位する。こうして、複数の面材１は、縦、横方向の連結を相互に達成し、締結部品２表面の装飾体２３を装飾とし、様々な大きさでしかも多数の収納空間を備える収納ボックスを構成する。
【００１２】
本考案第二実施例の組合せ図である図５、図６に示すように、本考案は、面材１をＴ字状に重ねたりＬ字状に重ねることができる。締結部品２は、異なる形状の排列/積み重ねに対応し、Ｔ字状、及びＬ字状の締結部品２に形成することができる。締結部品２にはダボ２１を設置する。これにより、締結部品２のダボ２１及び締結ネジ３は、面材１の縦、横方向貫通孔１３、１４に挿入して設置し、定位部品３の環状片３３を引き手で回す。締結部品２のダボ２１突出部２２は、締結ネジ３の螺旋状槽３２に螺合され、相互に継合して定位される。これにより、複数の面材１は相互に縦、横方向に連結する。
【００１３】
本考案第三実施例の組合せ図、本考案第三実施例の組合せ後の立体図である図７、図８、図９、図１０に示すように、本考案の第三実施例は、面材１、締結部品２、締結ネジ３を備える。面材１の両側辺には、対称の斜部１１、平面１２を設置する。面材１の上、下４個の角には、面材１内部において相互に交差する縦方向貫通孔１３と横方向貫通孔１４を設置する。本実施例中では、各角の縦方向貫通孔１３と横方向貫通孔１４はそれぞれ、２個、或いは２個以上設置する。しかも、縦方向貫通孔１３は、平面１２上に設置する。
【００１４】
締結部品２にはダボ２１を設置する。ダボ２１頂点端には、直径が比較的大きい突出部２２を設置する。本実施例において締結部品２はダボ２１を図７に示すようなＴ字形、図８に示すようなＬ字形、及び図９に示すような十字形に設置する。
【００１５】
締結ネジ３は底縁に切欠き３１を設置する。切欠き３１からは適度な長さの螺旋状槽３２を延伸し、上縁には半円の環状片３３を設置する。これにより環状片３３両端は、締結ネジ３に設置され回転可能な状態を有する。こうして使用時には、環状片３３を引き手で回すことができ、使用しない時には面材と同一平面にすることができる。
【００１６】
上記した構成部材の組合せにより、複数の面材１を垂直、水平に相互に重ねて置いた後(斜部１１を相互に接触させて支える)、締結部品２のダボ２１と締結ネジ３を、各縦、横方向貫通孔１３、１４に挿入して設置する。次に締結ネジ３の環状片３３を引き手で回す。これにより締結部品２のダボ２１突出部２２は、締結ネジ３の螺旋状槽３２に螺合し、相互に継合して定位する。こうして複数の面材１は縦、横方向の連結を相互に達成し、様々な大きさでしかも多数の収納空間を備える収納ボックスを構成する。
【００１７】
本考案第四実施例の組合せ図である図１１に示すように、本考案の面材１の切断面は直線の平坦面を形成し、組合せ時にはそれを合わせて接続する。同様に締結部品２のダボ２１及び締結ネジ３は各縦、横方向貫通孔１３、１４にそれぞれ挿入して設置する。これにより締結部品２のダボ２１突出部２２は、締結ネジ３の螺旋状槽３２に螺合し、相互に継合して定位する。こうして複数の面材１は相互に縦、横方向に連結し、様々な大きさで多数の収納空間を備える収納ボックスを構成する。
【００１８】
本考案第五実施例の組合せ図である図１２、１３に示すように、本考案において側板４を重ねて連接して使用する時には、締結部品２はその形状の排列に対応して、I字形やL字型に形成することができ、締結部品２には対応するダボ２１を設置する。これにより締結部品２のダボ２１及び締結ネジ３を、２個の側板４の面材前方の縦、横方向貫通孔４１、４２に、それぞれ挿入して設置し、及び締結部品２のダボ２１及び締結ネジ３を、２個の側板４の面材前方の縦、横方向貫通孔４３、４４にそれぞれ挿入して設置する。これにより締結部品２のダボ２１の突出部２２を、締結ネジ３に螺合し相互に継合して定位する。こうして２個の側板４の上下は相互に垂直に連結され、大きさが異なりより大きな収納空間を備える収納ボックスを構成することができる。
【００１９】
本考案第六実施例の組合せ図である図１４に示すように、本考案において、テーブル面５と側板６を重ねて連接して使用する時には、ダボ２１はI字形に形成する。これによりダボ２１と締結ネジ３は、テーブル面５と側板６の貫通孔５１、６１にそれぞれ挿入して設置する。こうしてダボ２１の突出部２２を、締結ネジ３に螺合し相互に継合して定位する。テーブル面５と側板６の上下は相互に垂直連結され、大きさが異なりしかもより大きな収納空間を備える収納ボックスを構成することができる。
【００２０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２１】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２２】
１    面材
１１  斜部
１２  平面
１３  縦方向貫通孔
１４  横方向貫通孔
２    締結部品
２１  ダボ
２２  突出部
２３  装飾体
３    締結ネジ
３１  切欠き
３２  螺旋状槽
３３  環状片
４    側板
４１  縦方向貫通孔
４２  横方向貫通孔
４３  縦方向貫通孔
４４  横方向貫通孔
５    テーブル面
５１  貫通孔
６    側板
６１  貫通孔
【図１】
0003176863.tif 000003
【図２】
0003176863.tif 000004
【図３】
0003176863.tif 000005
【図４】
0003176863.tif 000006
【図５】
0003176863.tif 000007
【図６】
0003176863.tif 000008
【図７】
0003176863.tif 000009
【図８】
0003176863.tif 000010
【図９】
0003176863.tif 000011
【図１０】
0003176863.tif 000012
【図１１】
0003176863.tif 000013
【図１２】
0003176863.tif 000014
【図１３】
0003176863.tif 000015
【図１４】
0003176863.tif 000016